(57)【要約】【課題】開閉前面板に把手を有しないキャビネットであって、引出しの中身の重さにかかわらずに引出しを前側に押出すことができると共に、小さい押圧力で引出しを前側へ押出ことのできるキャビネットを提供すること。【解決手段】近接するように隣り合う対の開閉前面板３を有するキャビネットであって、この開閉前面板３の後側に開閉前面板３を押出すための押出体４を設け、この押出体４の両端５が閉状態にある両開閉前面板３の互いに隣り合う両端部に各々近接し、一方の開閉前面板３を押すことで、その後側に近接する押出体４の一端５が後方へ押されると共に、これに反して同押出体４の他端５が前方へ動作され、この他端５によって他方の開閉前面板３が前方へ押出されるようにしている。【選択図】図１
2007289316.tif 000002
【特許請求の範囲】
【請求項１】
近接するように隣り合う対の開閉前面板を有するキャビネットであって、この開閉前面板の後側に開閉前面板を押出すための押出体を設け、この押出体の両端が閉状態にある両開閉前面板の互いに隣り合う両端部に各々近接し、一方の開閉前面板を押すことで、その後側に近接する押出体の一端が後方へ押されると共に、これに反して同押出体の他端が前方へ動作され、この他端によって他方の開閉前面板が前方へ押出されるようになしたキャビネット。
【請求項２】
押出体が回動可能であり、押出体が回動することで、その一端が後方へ押されると共にこれに反して他端が前方へ動作されるようになしたことを特徴とする請求項１記載のキャビネット。
【請求項３】
両開閉前面板が上下に隣り合っていることを特徴とする請求項１又は２記載のキャビネット。
【請求項４】
開閉前面板が引出しの前面板であることを特徴とする請求項１〜３のいずれか１項記載のキャビネット。
【請求項５】
押出体をその両端いずれもが前方へ動作されていない通常時の状態へ戻すように付勢する付勢手段を有していることを特徴とする請求項１〜４のいずれか１項記載のキャビネット。
【発明の詳細な説明】
【技術分野】
【０００１】
本願発明は開閉前面板に把手を有しないキャビネットに関するものである。
【背景技術】
【０００２】
従来から、特開昭６０−２１５３１９号公報（特許文献１）に示されるように、把手が設けられていない引出しは知られている。
【０００３】
この引出しには、図６に示すように、開閉保持装置１０が設けられている。この開閉保持装置１０は、引出しを閉じて後側に押すとこれを保持し、さらに押すとこの保持を解き、引出しを若干前側へ押出す。よって、把手を設けなくとも引出しの開閉が可能となり、把手にホコリ等が溜まり難くて衛生的である。
【特許文献１】特開昭６０−２１５３１９号公報
【発明の開示】
【発明が解決しようとする課題】
【０００４】
しかしながら、特開昭６０−２１５３１９号公報に示される上記従来例の引出しにあっては、引出しの中身が重過ぎると、開閉保持装置１０が引出しを前側に押出しきれず、引出しを引出すことが困難になるという問題があった。又、この引出しを閉める場合には保持状態にし、開ける場合には保持状態を解除しなければならないが、これらの動作には一定の押圧力が必要であり、高齢者や子供によっては使用をすることが困難であるという問題も生じていた。
【０００５】
本願発明は上記背景技術に鑑みて発明されたものであり、その課題は、開閉前面板に把手を有しないキャビネットであって、引出しの中身の重さにかかわらずに引出しを前側に押出すことができると共に、小さい押圧力で引出しを前側へ押出ことのできるキャビネットを提供することである。
【課題を解決するための手段】
【０００６】
上記課題を解決するために、本願請求項１記載の発明では、近接するように隣り合う対の開閉前面板を有するキャビネットであって、この開閉前面板の後側に開閉前面板を押出すための押出体を設け、この押出体の両端が閉状態にある両開閉前面板の互いに隣り合う両端部に各々近接し、一方の開閉前面板を押すことで、その後側に近接する押出体の一端が後方へ押されると共に、これに反して同押出体の他端が前方へ動作され、この他端によって他方の開閉前面板が前方へ押出されるようになしている。
【０００７】
又、本願請求項２記載の発明では、上記請求項１記載のキャビネットにおいて、押出体が回動可能であり、押出体が回動することで、その一端が後方へ押されると共にこれに反して他端が前方へ動作されるようになしたことを特徴とする。
【０００８】
又、本願請求項３記載の発明では、上記請求項１又は２記載のキャビネットにおいて、両開閉前面板が上下に隣り合っていることを特徴としている。
【０００９】
又、本願請求項４記載の発明では、上記請求項１〜３のいずれか１項記載のキャビネットにおいて、開閉前面板が引出しの前面板であることを特徴としている。
【００１０】
又、本願請求項５記載の発明では、上記請求項１〜４のいずれか１項記載のキャビネットにおいて、押出体をその両端いずれもが前方へ動作されていない通常時の状態へ戻すように付勢する付勢手段を有していることを特徴としている。
【発明の効果】
【００１１】
本願請求項１記載の発明のキャビネットにおいては、一方の開閉前面板を押すことで、その後側に近接する押出体の一端が後方へ押されると共に、これに反して同押出体の他端が前方へ動作され、この他端によって他方の開閉前面板が前方へ押出されるようにしているので、引出しの中身の重さにかかわらずに引出しを前側に押出すことができると共に、小さい押圧力で引出しを前側へ押出ことができる。
【００１２】
本願請求項２記載の発明のキャビネットにおいては、特に、押出体が回動することで、その一端が後方へ押されると共にこれに反して他端が前方へ動作されるようにしているので、簡単な機構で実現することができ、施工性が向上する。
【００１３】
本願請求項３記載の発明のキャビネットにおいては、特に、両開閉前面板が上下に隣り合っているため、上下の開閉前面板を容易に開閉することができる。
【００１４】
本願請求項４記載の発明のキャビネットにおいては、特に、開閉前面板が引出しの前面板であるため、開閉前面板を開閉操作することで引出しを出し入れすることができる。
【００１５】
本願請求項５記載の発明のキャビネットにおいては、特に、押出体をその両端いずれもが前方へ動作されていない通常時の状態へ戻すように付勢する付勢手段を有しているので、押出体の一端を後方に押している開閉前面板は付勢手段によって自動的に、通常時の押出体の端部に近接する位置に戻される。よって、手間が省けて利便性が増す。
【発明を実施するための最良の形態】
【００１６】
以下、本願発明を添付図面に示す実施形態に基づいて説明する。
【００１７】
図１〜５は、本願請求項１〜５全てに対応した一実施形態であるキャビネットを示している。
【００１８】
このキャビネットは、近接するように隣り合う対の開閉前面板３を有するキャビネットであって、この開閉前面板３の後側に開閉前面板３を押出すための押出体４を設け、この押出体４の両端５が閉状態にある両開閉前面板３の互いに隣り合う両端部に各々近接し、一方の開閉前面板３を押すことで、その後側に近接する押出体４の一端５が後方へ押されると共に、これに反して同押出体４の他端５が前方へ動作され、この他端５によって他方の開閉前面板３が前方へ押出されるようになっている。押出体４は回動可能であり、押出体４が回動することで、その一端５が後方へ押されると共にこれに反して他端５が前方へ動作される。そして、押出体４をその両端５いずれもが前方へ動作されていない通常時の状態へ戻すように付勢する付勢手段７を有している。両開閉前面板３は引出し２の前面板であり、上下に隣り合っている。
【００１９】
以下、この実施形態のキャビネットをより具体的詳細に説明する。
【００２０】
このキャビネットは図１〜５で示すように、キャビネット本体部１と、引出し２と、押出体４と、を備える。
【００２１】
キャビネット本体部１は略直方体状で木材等からなり、前側の面には開口を有する。このキャビネット本体部１は大きさの異なる２つの引出し２を上下に備えている。この引出し２は木材等からなり、キャビネット本体部１に対して出し入れ自在になっており、前方に引出すことで物品の出し入れを可能とし、後方に押し込むことでキャビネット本体部１に収納される。上下の引出し２の前側端部にはキャビネット前側の面の開口を塞ぐための開閉前面板３が備えられている。この開閉前面板３は略長方形状で木材等からなる。
【００２２】
押出体４は矩形状で金属等からなり、この押出体４の両端５が閉状態にある両開閉前面板３の互いに隣り合う両端部に各々近接している。そして、開閉前面板３の後側に位置し、キャビネットの左右の側板にそれぞれ設けられている。左右の側板には金属等からなる軸部６がそれぞれ設けられており、各押出体４はこの軸部６を軸にして、各押出体４の一端５が後方へ押されると共にこれに反して他端５が前方へ動作するように、回動する。この軸部６には、押出体４をその両端５いずれもが前方へ動作されていない通常時の状態へ戻すように付勢するバネ等の付勢手段７が設けられている。
【００２３】
本実施形態におけるキャビネットの使用方法を図３〜図５に基づいて説明する。
【００２４】
下の引出し２ｂを引出す場合、図３に示すように、まず、上の引出し２ａの開閉前面板３ａを押す。すると、上の引出し２ａの開閉前面板３ａが、左右の側板にそれぞれ設けられた押出体４の各上端５ａを後方へ押し、これによって各下端５ｂが前方へ動作するように、押出体４は回動する。そして、この各下端５ｂは前方へ動作することで、下の引出し２ｂの開閉前面板３ｂを前に押出す。これにより、図４に示すように、上下の開閉前面板３の間に隙間ができ、そこから手を差し込むことで、下の開閉前面板３ｂに手を掛けることができ、下の引出し２ｂを引出すことができる。左右の側板にそれぞれ設けられた軸部６には、押出体４をその両端５いずれもが前方へ動作されていない通常時の状態へ戻すように付勢するバネ等の付勢手段７が設けられているので、図５に示すように、各押出体４の上端５ａが前方へ付勢されると共にこれに反して下端５ｂが後方へ付勢されるように、各押出体４は回動する。そして、この各上端５ａは前方へ動作することで、上の引出し２ａの開閉前面板３ａを前に押出す。
【００２５】
したがって、上の開閉前面板３ａを押すことで、その後側に近接する各押出体４の上端５ａが後方へ押されると共に、これに反して同押出体４の下端５ｂが前方へ動作され、この下端５ｂによって下の開閉前面板３ｂが前方へ押出されるようにしているので、引出し２ｂの中身の重さにかかわらずに引出し２ｂを前側に押出すことができると共に、小さい押圧力で引出し２ｂを前側へ押出ことができる。
【００２６】
又、押出体４が回動することで、その上端５ａが後方へ押されると共にこれに反して下端５ｂが前方へ動作されるようにしているので、簡単な機構で実現することができ、施工性が向上する。
【００２７】
又、両開閉前面板３が上下に隣り合っているため、上下の開閉前面板３を容易に開閉することができる。
【００２８】
又、開閉前面板３が引出し２の前面板であるため、開閉前面板３を開閉操作することで引出し２を出し入れすることができる。
【００２９】
又、押出体４をその両端５いずれもが前方へ動作されていない通常時の状態へ戻すように付勢する付勢手段７を有しているので、押出体４の上端５ａを後方に押している開閉前面板３ａは付勢手段７によって自動的に、通常時の押出体４の上端５ａに近接する位置に戻される。よって、手間が省けて利便性が増す。
【００３０】
又、各押出体４が自動的に両端５いずれもが前方へ動作されていない通常時の状態に戻ることから、下の引出し２ｂの開閉前面板３ｂを押して、引出し２を閉状態にした場合、両開閉前面板３を容易に面一に連続させることができる。
【図面の簡単な説明】
【００３１】
【図１】本願発明の一実施形態であるキャビネットを示す概略縦断面図。
【図２】同キャビネットを示す正面図。
【図３】同キャビネットの上の引出しを押した時の使用状態を示す概略縦断面図。
【図４】同キャビネットの下の引出しを引出す時の使用状態を示す概略縦断面図。
【図５】同キャビネットの押出体が上の引出しを通常時位置に戻す時の状態を示す概略縦断面図。
【図６】従来例である引出しの開閉保持装置を示す要部斜視図。
【符号の説明】
【００３２】
１  キャビネット本体部
２  引出し
２ａ  上側引出し
２ｂ  下側引出し
３  開閉前面板
３ａ  上側開閉前面板
３ｂ  下側開閉前面板
４  押出体
５  押出体端部
５ａ  押出体上端
５ｂ  押出体下端
６  軸部
７  付勢手段
【図１】
2007289316.tif 000003
【図２】
2007289316.tif 000004
【図３】
2007289316.tif 000005
【図４】
2007289316.tif 000006
【図５】
2007289316.tif 000007
【図６】
2007289316.tif 000008